【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
車両に設置され、発光する面状の発光領域と、該発光領域に隣り合って配置される面状の非発光領域とを有する車両用加飾部品であって、
前記発光領域は、
前記発光領域に向けて光を照射する照射体と、
該照射体から出射された光を透過させる透過体と、
表面が露出した状態で形成され、前記透過体を透過した光が透過可能な加飾層と、を備え、
前記透過体、前記加飾層及び前記非発光領域は、加飾ユニットとして一体化されており、
前記非発光領域の、前記加飾層の露出している表面とは反対側に位置する部分において、前記表面側とは反対側に向かって延出するリブが設けられ、
前記リブは、前記発光領域と前記非発光領域との境界位置付近に配置されていることを特徴とする車両用加飾部品。
【請求項２】
前記リブは、前記照射体を覆うように延出していることを特徴とする請求項１に記載の車両用加飾部品。
【請求項３】
前記リブは、前記照射体の外周を覆うように延出していることを特徴とする請求項２に記載の車両用加飾部品。
【請求項４】
前記リブは、前記照射体を上方側から覆う上壁部分と、前記照射体を下方側から覆う底壁部分と、前記照射体を両側から覆う第１側壁部分及び第２側壁部分とを有しており、
前記リブは、前記上壁部分と、前記第１側壁部分及び前記第２側壁部分と、前記底壁部分とが連続するように形成されていることを特徴とする請求項３に記載の車両用加飾部品。
【請求項５】
前記照射体は、前記リブの延出端部に取り付けられ、かつ、前記リブの間に挟まれるように配置されていることを特徴とする請求項１乃至４のいずれか１項に記載の車両用加飾部品。
【請求項６】
前記リブ及び前記照射体の一方には、前記リブ及び前記照射体の他方に設けられた係合穴形成部に係合可能な爪部が形成され、
前記爪部が前記係合穴形成部に係合することで、前記照射体が前記加飾ユニットに組み付けられることを特徴とする請求項１乃至５のいずれか１項に記載の車両用加飾部品。
【請求項７】
前記リブは、前記照射体を覆うように延出しており、
前記リブには、前記照射体に設けられた前記係合穴形成部に係合可能な前記爪部が形成されており、
前記爪部は、前記リブのうち、前記照射体に対向する面とは反対側の面に形成されていることを特徴とする請求項６に記載の車両用加飾部品。
【請求項８】
前記係合穴形成部は、前記リブの延出方向において前記透過体側よりも前記車両側に近い位置に配置されていることを特徴とする請求項７に記載の車両用加飾部品。
【請求項９】
請求項１乃至８のいずれか１項に記載の車両用加飾部品を備えた車両用ドアライニングであって、
前記加飾ユニットは、前記車両用ドアライニングに取り付けられ、かつ、前記車両用ドアライニングに設けられたドアアームレスト、スピーカ及びポケットトリムよりも上方に配置されていることを特徴とする車両用ドアライニング。
【手続補正２】
【補正対象書類名】明細書
【補正対象項目名】発明の名称
【補正方法】変更
【補正の内容】
【発明の名称】車両用加飾部品及び車両用ドアライニング
【手続補正３】
【補正対象書類名】明細書
【補正対象項目名】０００９
【補正方法】変更
【補正の内容】
【０００９】
そこで、本発明は、上記の課題に鑑みてなされたものであり、その目的とするところは、発光する車両用加飾部品として、車両の室内環境の趣向性を高める目的で利用可能な車両用加飾部品を提供することである。
また、本発明の他の目的は、光源及び導光体を有する車両用加飾部品において、光源からの光を効率よく導光体に入射させること、さらに、光源と導光体との間のクリアランスを一定に保持することである。
【手続補正４】
【補正対象書類名】明細書
【補正対象項目名】００１０
【補正方法】変更
【補正の内容】
【００１０】
前記課題は、本発明の車両用加飾部品によれば、車両に設置され、発光する面状の発光領域と、該発光領域に隣り合って配置される面状の非発光領域とを有する車両用加飾部品であって、前記発光領域は、前記発光領域に向けて光を照射する照射体と、該照射体から出射された光を透過させる透過体と、表面が露出した状態で形成され、前記透過体を透過した光が透過可能な加飾層と、を備え、前記透過体、前記加飾層及び前記非発光領域は、加飾ユニットとして一体化されており、前記非発光領域の、前記加飾層の露出している表面とは反対側に位置する部分において、前記表面側とは反対側に向かって延出するリブが設けられ、前記リブは、前記発光領域と前記非発光領域との境界位置付近に配置されていることにより解決される。
【手続補正５】
【補正対象書類名】明細書
【補正対象項目名】００１１
【補正方法】変更
【補正の内容】
【００１１】
また、上記の構成において、前記リブは、前記照射体を覆うように延出していることとしてもよい。
【手続補正６】
【補正対象書類名】明細書
【補正対象項目名】００１２
【補正方法】変更
【補正の内容】
【００１２】
また、上記の構成において、前記リブは、前記照射体の外周を覆うように延出していることとしてもよい。
【手続補正７】
【補正対象書類名】明細書
【補正対象項目名】００１３
【補正方法】変更
【補正の内容】
【００１３】
また、上記の車両用加飾部品において、前記リブは、前記照射体を上方側から覆う上壁部分と、前記照射体を下方側から覆う底壁部分と、前記照射体を両側から覆う第１側壁部分及び第２側壁部分とを有しており、前記リブは、前記上壁部分と、前記第１側壁部分及び前記第２側壁部分と、前記底壁部分とが連続するように形成されていることとしてもよい。
【手続補正８】
【補正対象書類名】明細書
【補正対象項目名】００１４
【補正方法】変更
【補正の内容】
【００１４】
また、上記の車両用加飾部品において、前記照射体は、前記リブの延出端部に取り付けられ、かつ、前記リブの間に挟まれるように配置されていることとしてもよい。
【手続補正９】
【補正対象書類名】明細書
【補正対象項目名】００１５
【補正方法】変更
【補正の内容】
【００１５】
また、上記の車両用加飾部品において、前記リブ及び前記照射体の一方には、前記リブ及び前記照射体の他方に設けられた係合穴形成部に係合可能な爪部が形成され、前記爪部が前記係合穴形成部に係合することで、前記照射体が前記加飾ユニットに組み付けられることとしてもよい。
【手続補正１０】
【補正対象書類名】明細書
【補正対象項目名】００１６
【補正方法】変更
【補正の内容】
【００１６】
また、上記の車両用加飾部品において、前記リブは、前記照射体を覆うように延出しており、前記リブには、前記照射体に設けられた前記係合穴形成部に係合可能な前記爪部が形成されており、前記爪部は、前記リブのうち、前記照射体に対向する面とは反対側の面に形成されていることとしてもよい。
【手続補正１１】
【補正対象書類名】明細書
【補正対象項目名】００１７
【補正方法】変更
【補正の内容】
【００１７】
また、上記の車両用加飾部品において、前記係合穴形成部は、前記リブの延出方向において前記透過体側よりも前記車両側に近い位置に配置されていることとしてもよい。
【手続補正１２】
【補正対象書類名】明細書
【補正対象項目名】００１８
【補正方法】変更
【補正の内容】
【００１８】
また、上記の車両用加飾部品を備えた車両用ドアライニングであって、前記加飾ユニットは、前記車両用ドアライニングに取り付けられ、かつ、前記車両用ドアライニングに設けられたドアアームレスト、スピーカ及びポケットトリムよりも上方に配置されていることとしてもよい。
【手続補正１３】
【補正対象書類名】明細書
【補正対象項目名】００１９
【補正方法】変更
【補正の内容】
【００１９】
本発明によれば、発光する車両用加飾部品として、車両の室内環境の趣向性を高める目的で利用可能な車両用加飾部品を実現することができる。
また、光源及び導光体を有する車両用加飾部品において、光源からの光を効率よく導光体に入射させること、さらに、光源と導光体との間のクリアランスを一定に保持することができる。
また、光を透過させる透過部と光を遮断する遮断部とを自在に配置することができる加飾層を容易に形成することが可能となる。
また、透過体を通過する際に光が拡散される結果、光の均斉度の高い良好な照明効果を奏することが可能となる。
また、限られた空間内において光源ユニットをコンパクトに配置することが可能となる結果、光源の隠蔽を効果的に実現することが可能となる。
また、光源ユニットと透過体との間の間隔を、良好な照明効果を得るのに適切な距離に調整し、調整後の位置に光源ユニットを位置決めすることが可能となる。
また、加飾ユニットの剛性を確保すると共に、光源ユニットからの光が光源ユニットの正面から外れる方向に漏れるのを抑えることが可能となる。
また、リブを設けることによって加飾ユニットにヒケが生じたとしても、当該ヒケを目立ち難くして意匠性を維持することが可能となる。
また、光源ユニットを加飾ユニットに組み付けると共にベース部材にも固定するので、光源ユニットをより堅固に固定することが可能となる。
また、発光領域の発光を妨げないように、加飾ユニットをベース部材に取り付けることが可能となる。
また、電源から光源の電源入力部に亘って敷設されるハーネスの長さを短くすることが可能となり、以て車両用加飾部品の製造コストを抑えることが可能となる。
また、車両の室内での快適性を向上させることが可能となり、車両室内におけるエンターテイメント性（アミューズメント性）を高めたり、情報を車中で取得することで利便性を向上させたりすることが可能となる。
また、光源からの光が効率よく導光体に入射される結果、光源の使用個数が少なくても導光体から適切に光を出射させることが可能となる。
また、車両走行時に振動が発生したとしても導光体と光源との間のクリアランスを一定に保持することが可能となる。
また、車両用ドア各部の機能の損なわず、また、不必要に車両用ドア各部の肥大化を抑制しつつ、車両用加飾部品を適切に設置することが可能となる。
また、車両用加飾部品をより容易に組み立て、より容易にベース部材に固定することが可能となる。